(57)【要約】      （修正有）【課題】小弓道において、より多くの人が同時に楽しめる多様な競技方法を実施可能とする小弓道セットを提供する。【解決手段】小弓道を行うための小弓道セット１であって、巻きわら部２と、弓部３と、矢部４と、的紙５とを備え、的紙５は、第１種〜第ｎ種（ｎは２以上の自然数）のｎ種類の的紙からなる的紙群から選択され、各的紙には、１〜ｎ個のそれぞれの個数の小まとが表記されている。的紙に複数の小まとが表記されている場合、それら複数の小まとが、回転対称、左右対称または上下対称に配置されている。的紙に表記された小まとの数が多いほど、１つの小まとの径が小さくなっている。２個以上の小まとが表記されている場合に、各小まとの中心に１から順に番号が表記されている。【選択図】図１
0003146916.tif 000002
【実用新案登録請求の範囲】
【請求項１】
小弓道を行うための小弓道セット(1)であって、
巻きわら部(2)と、弓部(3)と、矢部(4)と、的紙(5)とを備え、前記的紙(5)は、第１種〜第ｎ種（ｎは２以上の自然数）のｎ種類の的紙(5a〜5L)からなる的紙群から選択され、各的紙には、１〜ｎ個のそれぞれの個数の小まと(5a3〜5d3)が表記されていることを特徴とする小弓道セット。
【請求項２】
前記的紙(5a〜5L)に複数の小まと(5a3〜5d3)が表記されている場合、それら複数の小まと(5a3〜5d3)が、回転対称、左右対称または上下対称に配置されていることを特徴とする請求項１に記載の小弓道セット。
【請求項３】
前記的紙(5a〜5L)に表記された小まと(5a3〜5d3の数が多いほど、１つの小まとの径が小さくなっていることを特徴とする請求項１または２に記載の小弓道セット。
【請求項４】
２個以上の小まとが表記されている場合に、各小まとの中心に１から順に番号(5b3S〜5d3S)が表記されていることを特徴とする請求項１〜３のいずれかに記載の小弓道セット。
【請求項５】
前記弓部(3)及び矢部(4)の各々の長さが160cmであることを特徴とする請求項１〜４のいずれかに記載の小弓道セット。
【請求項６】
前記第１種の的紙の小まとの直径が12cmであることを特徴とする請求項１〜５のいずれかに記載の小弓道セット。
【請求項７】
請求項１〜６の小弓道セットに含まれる、第１種〜第ｎ種（ｎは２以上の自然数）のｎ種類の的紙(5a〜5L)からなる的紙群から選択された複数の的紙からなる的紙セット。
【考案の詳細な説明】
【技術分野】
【０００１】
本考案は、四半的弓道における弓矢またはこれと同等の弓矢を用いて小弓道を行うための小弓道セットに関する。
【背景技術】
【０００２】
本格的な日本弓道を少しでも手軽に行うための標的、的場、簡易弓道場などの発明が提示されている（特許文献１、２）。しかしながら、日本弓道は、弓が長く弦も硬いため引分けに力を要し、また、巻きわらも大きく重く、距離も長く場所をとるため、性別年齢に関わらずだれでも、どこでも、気軽に楽しむことは、難しい。
【０００３】
一方、四半的弓道は、宮崎県日南に古くから伝わる小規模で簡易な弓道である。的まで４間半(8m20cm)の距離で、４尺５寸(約1m60cm)の弓と矢を使い、直径４寸５分(約13cm)の的を射って当たりを競う。全ての道具の長さが「４・半」なので四半的と呼ばれている。一般的な競技方法は、座射で例えば３０射を行い、当たりの本数で競う。
【特許文献１】登録実用新案第３０２５０８２号公報
【特許文献２】登録実用新案第３１４３１５１号公報
【考案の開示】
【考案が解決しようとする課題】
【０００４】
本願の考案者は、四半的弓道から基本的な着想を得て日本弓道の長所も取り入れた新しい弓道である「小弓道」を考案した。本考案は、小弓道において、より多くの人が同時に楽しめる多様な競技方法を実施可能とする小弓道セットを提供することを目的とする。
【課題を解決するための手段】
【０００５】
上記の目的を実現するため、本考案は、以下の構成を提供する。
１）小弓道を行うための小弓道セット(1)であって、巻きわら部(2)と、弓部(3)と、矢部(4)と、的紙(5)とを備え、前記的紙(5)は、第１種〜第ｎ種（ｎは２以上の自然数）のｎ種類の的紙(5a〜5j)からなる群から選択され、各的紙には、１〜ｎ個のそれぞれの個数の小まと(5a3〜5d3)が表記されていることを特徴とする。
２）上記小弓道セットにおいて、前記的紙(5a〜5j)に複数の小まと(5a3〜5d3)が表記されている場合、それら複数の小まと(5a3〜5d3)が、回転対称、左右対称または上下対称に配置されていることを特徴とする。
３）上記小弓道セットにおいて、前記的紙(5a〜5j)に表記された小まと(5a3〜5d3の数が多いほど、１つの小まとの径が小さくなっていることを特徴とする。
４）上記小弓道セットにおいて、２個以上の小まとが表記されている場合に、各小まとの中心に１から順に番号(5b3S〜5d3S)が表記されていることを特徴とする。
５）上記小弓道セットにおいて、前記弓部(3)及び矢部(4)の各々の長さが160cmであることを特徴とする。
６）上記小弓道セットにおいて、前記第１種の的紙の小まとの直径が12cmであることを特徴とする。
７）上記小弓道セットに含まれる、第１種〜第ｎ種（ｎは２以上の自然数）のｎ種類の的紙(5a〜5j)からなる群から選択された複数の的紙からなる的紙セットも提供する。
【考案の効果】
【０００６】
本考案においては、小弓道を行うための小弓道セットが、標的として用いるｎ種類の的紙を備え、各的紙には、１〜ｎ個のそれぞれの個数の小まとが表記されているので、一人でも小弓道を行うことができ、かつｎ人までの任意の数の人が同時に小弓道を行うこともできる。比較的狭い場所や室内でも競技を行うことができる。例えばｎが１０である場合、１０種類の的紙からなる小弓道セットとなる。この場合、一競技において、必ずしも全ての的紙を利用する必要はなく、人数や場所に応じて、１０種類のうちの一部の的紙のみを利用して競技を行うこともできる。一競技において、一人が複数の的紙を利用したり、複数人が１つの的紙を利用したりすることもでき、多種多様な利用方法（競技方法）が可能となる。
【０００７】
また、複数の小まとが対称的に配置されていること、小まとの数が多いほど、１つの小まとの径が小さくなっていること、２個以上の小まとがある場合に中心に順に番号が付されていることを利用すれば、競技方法のバリエーションは無数に考えられるので、多様な楽しみ方が可能となる。
【０００８】
四半的弓道用と同等の弓矢を用いる小弓道は、さほど力も必要とせず、年齢性別や身体能力によらずほとんど誰でも行うことができる。また、距離も短いため場所もとらず、どこでも行うことができる。座射、椅子射、立射のいずれも可能である。本来、弓道は、精神修養的要素をもった武道であるから、一人で行っても心身に対して医療的な効果があるが、複数人で共に行うことによりゲームとしての楽しさが増すため、より大きな効果が得られる。
【考案を実施するための最良の形態】
【０００９】
以下、図面を参照して本考案の実施の形態の詳細を説明する。
図１は、本考案の小弓道セット１の構成を概略的に示す斜視図である。小弓道セット１の構成は、巻きわら部２と、弓部３と、矢部４と、巻きわら部２の正面側小口に着脱自在の状態で取り付けられた的紙５とを備えている。的紙５は、以下の図２〜図７に一部を例示する第１種〜第ｎ種（ｎは２以上の自然数）の的紙からなる的紙群から選択されたいずれかの的紙である。図１中、ＳＴは射程を示す。
【００１０】
巻きわら部２は、わらを束ねて縄を巻いてくくって構成された公知のものである。巻きわら部２は、直径約30cmで、長さ約50cmが好適であるが、これに限定されない。
【００１１】
弓部３は、四半的弓道で公知のものと同様に、弓幹３ａと弦３ｂなどから構成されているが、弓幹３ａの長さ３ａ１は、一般的には約165cmが扱いやすい。弓の強さは、身体能力に合わせて最も弱い3.7kg程度から強いものまで選択できる。
【００１２】
矢部４は、四半的弓道で公知のものと同様に、やがら４ａ、はず（図示略）、羽４ｂ、やじり（図示略）などから構成されているが、やがら４ａの長さ４ａ１は約152cmと、日本弓道の弓よりかなり長いものが、身近で指導するには安全で扱いやすい。
【００１３】
図２に示す第１種的紙５ａは、１個の小まとを表記した的紙であり、「一的まと」と称する。第１種的紙５ａは、正面方形の厚紙などでなる白色の平板５ａ１の中心に、１個の標的としての小まと５ａ２を描いて構成されている。小まと５ａ２は、黒色中心円５ａ２１と、この黒色中心円の外周に描かれた内方の黒色同心円５ａ２２と外方の黒色同心円５ａ２３とを描いて構成されている。
【００１４】
図３に示す第２種的紙５ｂは、２個の小まとを表記した的紙であり、「二的まと」と称する。第２種的紙５ｂは、正面方形の厚紙などでなる白色の平板５ｂ１に描かれた標的の外周を示す輪郭５ｂ２内に、２個の小まと５ｂ３を描いて構成されている。小まと５ｂ３は、黒色中心円５ｂ３１と、この黒色中心円の外周に描かれた内方の黒色同心円５ｂ３２と外方の黒色同心円５ｂ３３とを描いて構成されている。さらに、黒色中心円５ｂ３１内に、順序を示す「１」、「２」の番号５ｂ３Ｓが表記されている。２個以上の小まとを表記した的紙においては、各小まとの中心に順に番号が付される。この小まと中心の番号は、例えば、複数の競技者が１つの的紙を標的として競技する際に、各競技者がねらう標的を区別するために用いたりする。競技方法により、多様な利用方法があり得る。
【００１５】
図４に示す第３種的紙５ｃは、３個の小まとを表記した的紙であり、「三的まと」と称する。第３種的紙５ｃは、正面方形の厚紙などでなる白色の平板５ｃ１に描かれた標的の外周を示す輪郭５ｃ２内に、３個の小まと５ｃ３を描いて構成されている。小まと５ｃ３は、黒色中心円５ｃ３１と、この黒色中心円の外周に描かれた内方の黒色同心円５ｃ３２と外方の黒色同心円５ｃ３３とを描いて構成されている。さらに、黒色中心円５ｃ３１内に、順序を示す「１」、「２」、「３」の番号５ｃ３Ｓが表示されている。
【００１６】
図５に示す第５種的紙５ｄは、５個の小まとを表記した的紙であり、「五的まと」と称する。第５種的紙５ｄは、正面方形の厚紙などでなる白色の平板５ｄ１に描かれた標的の外周を示す輪郭５ｄ２内に、５個の小まと５ｄ３を描いて構成されている。この例では、中心の小まと５ｄ３が、周囲の４個の小まと５ｄ３より小さいが、中心の小まと５ｄ３を周囲のものと同じ大きさとしてもよい。小まと５ｄ３は、黒色中心円５ｄ３１と、この黒色中心円の外周に描かれた内方の黒色同心円５ｄ３２と外方の黒色同心円５ｄ３３とを描いて構成されている。さらに、黒色中心円５ｄ３１内に、順序を示す「１」、「２」、「３」．．「５」の番号５ｄ３Ｓが表示されている。
【００１７】
図６に示す第７種的紙５ｅは、７個の小まとを表記した的紙であり、「七的まと」と称する。第７種的紙５ｅは、正面方形の厚紙などでなる白色の平板５ｅ１に描かれた標的の外周を示す輪郭５ｅ２内に、７個の小まと５ｅ３を描いて構成されている。この例では、中心の小まと５ｅ３が、周囲の６個の小まと５ｅ３より小さいが、中心の小まと５ｅ３を周囲のものと同じ大きさとしてもよい。小まと５ｅ３は、黒色中心円５ｅ３１と、この黒色中心円の外周に描かれた内方の黒色同心円５ｅ３２と外方の黒色同心円５ｅ３３とを描いて構成されている。さらに、黒色中心円５ｅ３１内に、順序を示す「１」、「２」、「３」．．「７」の数字５ｅ３Ｓが表示されている。
【００１８】
図７に示す第１０種的紙５ｆは、１０個の小まとを表記した的紙であり、「十的まと」と称する。第１０種的紙５ｆは、正面方形の厚紙などでなる白色の平板５ｆ１に描かれた標的の外周を示す輪郭５ｆ２内に、１０個の小まと５ｆ３を描いて構成されている。小まと５ｆ３は、黒色中心円５ｆ３１と、この黒色中心円の外周に描かれた内方の黒色同心円５ｆ３２と外方の黒色同心円５ｆ３３を描いて構成されている。さらに、黒色中心円５ｆ３１内に、順序を示す「１」、「２」、「３」．．「１０」の数字５ｆ３Ｓが表示されている。
【００１９】
上記の例では、第１種、第２種、第３種、第５種、第７種、第１０種の５種類の的紙を示したが、一般的に本考案の小弓道セットで用いる的紙は、第１種〜第ｎ種（ｎは２以上の自然数）のｎ種類の的紙からなる的紙群から選択される。第ｎ種的紙には、ｎ個の小まとが表記されており、「ｎ的まと」と称する。的紙に複数の小まとが表記されている場合、それら複数の小まとは、回転対称、左右対称または上下対称に配置されている。ｎ個の小まとを表記した第ｎ種的紙には、小まとの対称配置の形態の異なる種類のものがあってもよい。
【００２０】
本考案における的紙では、表記された小まと５ａ３〜５ｆ３の数が多いほど、１つの小まとの径が小さくなっている。すなわち標的が小さくなるため、技術的難度が上がる。
【００２１】
図８は、その他の的紙の幾つかの例を示したものである。５ｇは第４種的紙（四的まと）の一例であり、５ｈは第５種的紙の別例であり、５ｉは第６種的紙（六的まと）の一例であり、５ｊは第７種的紙の別例であり、５ｋは第８種的紙（八的まと）の一例であり、５Lは第９種的紙（九的まと）の一例である。
【実施例】
【００２２】
実施例は下記の通りである。
１）第１種的紙の標的における直径を12cmとする。
２）第２種的紙の標的における直径を9.5cmとする。
３）第３種的紙の標的における直径を8.0cmとする。
４）第４種的紙の標的における直径を7.5cmとする。
５）第５種的紙の標的における直径を7.5cmとする。
５）第６種的紙の標的における直径を6.5cmとする。
７）第７種的紙の標的における直径を6.0cmとする。
８）第８種的紙の標的における直径を5.5cmとする。
９）第９種的紙の標的における直径を5.0cmとする。
１０）第１０種的紙の標的における直径を4.5cmとする。
【００２３】
競技方法は、多様に創出可能であるが、基本的には、上達するにつれて、以下のように的紙の種類を替えていく。
１）小まとの数が多くなっていく。
２）小まとの径が小さくなっていく。
３）射程ＳＴは随意であるが、長くする。
【００２４】
段位については、例えば射程ＳＴが5mで四的まとに全的中すれば、「５ｍ四的４段位」を与える。
【００２５】
競技方法の一例として、巻きわら１個に、１人、２人、３人．．と複数選手の競射が可能である。この競技方法の目的は、射場の広さからくる制限を排除するためである。
【図面の簡単な説明】
【００２６】
【図１】本発明の略図的斜視図である。
【図２】第１種的紙の拡大正面図である。
【図３】第２種的紙の拡大正面図である。
【図４】第３種的紙の拡大正面図である。
【図５】第５種的紙の拡大正面図である。
【図６】第７種的紙の拡大正面図である。
【図７】第１０種的紙の拡大正面図である。
【図８】その他の的紙の幾つかの例の拡大正面図である。
【符号の説明】
【００２７】
１  小弓道セット
２  巻きわら部
３  弓部
４  矢部
５  的紙
５ａ  第１種的紙
５ｂ  第２種的紙
５ｃ  第３種的紙
５ｄ  第５種的紙
５ｅ  第７種的紙
５ｆ  第１０種的紙
【図１】
0003146916.tif 000003
【図２】
0003146916.tif 000004
【図３】
0003146916.tif 000005
【図４】
0003146916.tif 000006
【図５】
0003146916.tif 000007
【図６】
0003146916.tif 000008
【図７】
0003146916.tif 000009
【図８】
0003146916.tif 000010